(57)【特許請求の範囲】
【請求項１】
発音要素とカメラを備え合成樹脂製ケースに収納されたドアホン子機と、前面板とこの
前面板の周縁から後方へ延びて上下及び左右を巡る周囲壁を形成し裏面が開放された縦長
矩形状の合成樹脂製ハウジングを備え、前記ハウジングは前記前面板の裏側下部に前記合
成樹脂製ケースが下側支持部に載置係止された状態で前記周囲壁よりも後方へ突出しない
ように前記周囲壁で囲まれた前記ドアホン子機用収納部を形成し、前記収納部に収納され
た前記ドアホン子機を上方から覆うように前記前面板から裏側へ山形状に突出した水滴除
け廂を備え、この水滴除け廂の左右端部と前記周囲壁の左右辺との間には、前記水滴除け
廂を流れる水が前記周囲壁を伝って流下する間隔をもって水切り溝が形成され、前記下側
支持部に対応して前記周囲壁底辺には前記周囲壁を切り欠いた排水部を形成したことを特
徴とするドアホン子機装置。
【請求項２】
前記ドアホン子機は前記収納部の下部に設けた前記下側支持部に載置係止された状態で
前記収納部の左右上部に設けた左右弾性支持部によって前記収納部に着脱自在に支持され
、この支持にて前記ドアホン子機は前記周囲壁より後方へ突出しない状態で前記収納部に
収納されることを特徴とする請求項１に記載のドアホン子機装置。
【発明の詳細な説明】
【技術分野】
【０００１】
本発明は、ドアホン親機と電気的に接続された発音要素とカメラを備えて合成樹脂製ケ
ースに収納されたドアホン子機を収納したドアホン子機装置に関し、特に、集合住宅用と
して適するドアホン子機装置に関する。
【背景技術】
【０００２】
カメラ付ドアホン子器として、ハウジング８内の取り付け板相当部に回路基板５がネジ
止めされ、この回路基板５にモニタカメラ２が実装され、玄関等への取付板１８へハウジ
ング８の周囲壁上端部の爪を係合させて取り付ける構成のものがある。（特許文献１参照
）。
【０００３】
また、カバーの通音孔から侵入する雨水や装置内の結露水から回路基板を防護するドア
ホン装置がある。（特許文献２参照）。
【特許文献１】特開平９−１８８６２号公報
【特許文献２】特開２００７−１２４０８１号公報
【発明の開示】
【発明が解決しようとする課題】
【０００４】
上記の特許文献１のものは、モニタカメラ２が実装された回路基板５がむき出しの状態
でボディベース板にネジ止めされ、この回路基板５を覆うようにボディベース板にドアホ
ン子機装置の前面外観を呈するハウジングが取り付けられた構成であるため、モニタカメ
ラ２が実装された回路基板５の取り付け機能部品はボディベース板である。
【０００５】
また、上記の特許文献２のものは、通音孔を有したカバー４をスピーカの前方に配して
、スピーカと電子部品を実装した回路基板２をボディ１とカバー４の間に収容し、回路基
板２とスピーカの間に雨水侵入防止板５を介装し、カバー４を覆うように化粧カバーケー
ス７が取り付けられる構成である。このため、ボディ１とカバー４の間に雨水侵入防止板
５が収容された構成となるため、回路基板２を収容するボディ１とカバー４の組み合わさ
れた厚さが厚くなり、これを覆う化粧カバーケース７の厚さも厚くなる。また、ボディ１
とカバー４の間に、回路基板２と雨水侵入防止板５が収容された構成となるため、組み立
て部品点数が多く、組み立ても複雑になる。
【０００６】
本発明は、ドアホン親機と電気的に接続された発音要素やカメラ、更にこれらに係る電
気部品を取り付けた回路基板等を備えたドアホン子機を合成樹脂製ケースに収納してユニ
ット化し、これをドアホン子機装置の外観を呈するハウジング内に取り付ける形態とする
ことによって、特許文献１のボディベース板を不要とし、特許文献２のものには存在しな
いカメラを装備した場合にも、ユニット化したドアホン子機への雨水侵入防止を、ユニッ
ト化したドアホン子機内で行うのではなく、ハウジングで行なうようにして、ユニット化
したドアホン子機の構成と組み立ての簡素化を図り、且つ、ドアホン子機装置全体の簡素
化を図るものである。
【課題を解決するための手段】
【０００７】
第１発明のドアホン子機装置は、発音要素とカメラを備え合成樹脂製ケースに収納され
たドアホン子機と、前面板とこの前面板の周縁から後方へ延びて上下及び左右を巡る周囲
壁を形成し裏面が開放された縦長矩形状の合成樹脂製ハウジングを備え、前記ハウジング
は前記前面板の裏側下部に前記合成樹脂製ケースが下側支持部に載置係止された状態で前
記周囲壁よりも後方へ突出しないように前記周囲壁で囲まれた前記ドアホン子機用収納部
を形成し、前記収納部に収納された前記ドアホン子機を上方から覆うように前記前面板か
ら裏側へ山形状に突出した水滴除け廂を備え、この水滴除け廂の左右端部と前記周囲壁の
左右辺との間には、前記水滴除け廂を流れる水が前記周囲壁を伝って流下する間隔をもっ
て水切り溝が形成され、前記下側支持部に対応して前記周囲壁底辺には前記周囲壁を切り
欠いた排水部を形成したことを特徴とする。
【０００８】
第２発明のドアホン子機装置は、第１発明において、前記ドアホン子機は前記収納部の
下部に設けた前記下側支持部に載置係止された状態で前記収納部の左右上部に設けた左右
弾性支持部によって前記収納部に着脱自在に支持され、この支持にて前記ドアホン子機は
前記周囲壁より後方へ突出しない状態で前記収納部に収納されることを特徴とする。
【発明の効果】
【０００９】
第１発明では、ドアホン子機は、発音要素とカメラを備え合成樹脂製ケースに収納した
所謂ユニット化された構成のものが、合成樹脂製ハウジング内のドアホン子機用収納部に
収納保持され、この状態で、ハウジングとそれを取り付ける取り付け部との間から侵入す
る雨水は、水滴除け廂によってドアホン子機へ達することなく左右へ流れ、水滴除け廂を
左右へ流れた水は、水滴除け廂の左右端部と周囲壁との間の水切り溝から周囲壁を伝って
流下し、下部の排水部からハウジング外へ流出する。このため、ハウジング内へ侵入する
雨水からドアホン子機を防護できる。
【００１０】
第２発明では、第１発明の効果に加えて、ドアホン子機は、発音要素とカメラを備え合
成樹脂製ケースに収納した所謂ユニット化された構成のものが、螺子固定ではなく弾性支
持部によって合成樹脂製ハウジング内に着脱自在に支持されるため、ドアホン子機をハウ
ジングへ正確に保持できると共に、部品点数が少なく構成が簡素化され、ハウジングへの
ドアホン子機の取り付けや修理点検等がし易い構成となる。
【発明を実施するための最良の形態】
【００１１】
本発明のドアホン子機装置は、発音要素とカメラを備え合成樹脂製ケースに収納された
ドアホン子機と、前面板とこの前面板の周縁から後方へ延びて上下及び左右を巡る周囲壁
を形成し裏面が開放された縦長矩形状の合成樹脂製ハウジングを備え、前記ハウジングは
前記前面板の裏側下部に前記合成樹脂製ケースが下側支持部に載置係止された状態で前記
周囲壁よりも後方へ突出しないように前記周囲壁で囲まれた前記ドアホン子機用収納部を
形成し、前記収納部に収納された前記ドアホン子機を上方から覆うように前記前面板から
裏側へ山形状に突出した水滴除け廂を備え、この水滴除け廂の左右端部は前記周囲壁の左
右辺との間に水切り溝を形成し、前記下側支持部に対応して前記周囲壁底辺には前記周囲
壁を切り欠いた排水部を形成するものであり、以下に、本発明の実施例を記載する。
【実施例１】
【００１２】
本発明に係るドアホン子機装置の実施形態について説明する。図１は本発明に係るドア
ホン子機装置の正面斜視図、図２は本発明に係るドアホン子機装置の背面斜視図、図３は
本発明に係るドアホン子機装置のハウジングとドアホン子機とを分解した正面斜視図、図
４は本発明に係るドアホン子機装置のハウジングとドアホン子機とを分解した背面斜視図
、図５は本発明に係るドアホン子機装置の背面図、図６は本発明に係るドアホン子機装置
の固定用突起部の寸法関係を示す中央縦断側面図、図７は本発明に係るドアホン子機装置
を取り付け部に取り付けた状態を示す中央部縦断側面図である。
【００１３】
本発明に係るドアホン子機装置の実施例を図に基づき説明する。１はドアホン子機装置
であり、ＡＢＳ等の合成樹脂製ハウジング３内にドアホン子機２を収納した形態である。
ドアホン子機２は、ドアホン親機（図示せず）と電気的に接続されていて、合成樹脂製ケ
ース６に主要部としての発音要素４と、レンズを前面に向けた状態のカメラ５を収納し、
更にこれらに係る電気部品を取り付けた回路基板や、これらの支持部材等を収納した形態
である。発音要素４は、前記ドアホン親機（図示せず）を通して伝えられる音声や、合成
樹脂製ケース６外に露出した押しボタン７の操作によって発生するチャイム等の報知音等
を発する部分であり、スピーカ（図示せず）を含む。合成樹脂製ケース６は、後面開口の
表側ケース６Ａと前面開口の裏側ケース６Ｂとが、これら開口同士が組み合わさって中空
ケースを形成しており、この中空ケース内に発音要素４、カメラ５、これらに係る電気部
品を取り付けた回路基板等が収納された構成である。
【００１４】
ハウジング３は、縦長矩形状をなす合成樹脂製であり、前面板３Ａとこの前面板３Ａの
上下及び左右の周縁から後方へ延びて上下及び左右を巡る周囲壁３Ｂを形成し、周囲壁３
Ｂの上下及び左右の後端面３Ｂ１が略同一平面Ｌ１上に存在するように略同一面を形成す
る。
【００１５】
ハウジング３は、周囲壁３Ｂで囲まれた裏面が開放された形態であり、周囲壁３Ｂで囲
まれた前面板３Ａの裏側下部位置にドアホン子機２の収納部８を形成し、収納部８に対応
した前面板３Ａの位置には、発音要素４に対応した音声通過用窓９とカメラ５のレンズ部
が臨むカメラ用窓１０が形成され、音声通過用窓９の横には押しボタン７の操作用窓１１
が形成されている。カメラ用窓１０には、カメラ５のレンズ部を保護するための透明保護
板１６が取り付けられている。
【００１６】
ドアホン子機２は、収納部８の下部に設けた下部支持部に支持された状態で収納部８の
上部に設けた弾性支持部によって収納部８に着脱自在に支持されている。前記下部支持部
は、ドアホン子機２の下側面を左右に離間した位置で載置支持すると共に先端の係止部１
４Ａ１がドアホン子機２の背面に係止する左右一対の下側支持部１４Ａと、ドアホン子機
２の下部左右両側面に対向して、ドアホン子機２の左右移動を抑制するように支持する左
右側面支持部１４Ｂ、１４Ｂとを備える。また、前記弾性支持部は、ドアホン子機２の上
部左右両側面に対向して、ドアホン子機２の左右移動を抑制しつつ弾性力によって先端の
係止部１４Ｃ１がドアホン子機２の背面に係止する左右一対の弾性支持部１４Ｃ、１４Ｃ
を備える。支持部１４Ａ、１４Ｂ、１４Ｃは、周囲壁３Ｂより後方へ突出しない長さに形
成されている。
【００１７】
ドアホン子機２は、その下部を収納部８の左右に設けた左右側面支持部１４Ｂ、１４Ｂ
間に挿入すると共に、収納部８の下部に設けた下部支持部１４Ａに載置し係止部１４Ａ１
に係止した支持状態において、ドアホン子機２の上部を前面板３Ａ側へ押すことによって
、ドアホン子機２が弾性支持部１４Ｃ、１４Ｃの先端の係止部１４Ｃ１に当接して、弾性
支持部１４Ｃ、１４Ｃをその弾性に抗して押し広げつつ弾性支持部１４Ｃ、１４Ｃ間に挿
入され、最終位置において弾性支持部１４Ｃ、１４Ｃの弾性復帰によって、先端の係止部
１４Ｃ１がドアホン子機２の背面周縁部にあるフランジ部２Ｆに係止して保持される。な
お、ドアホン子機２の取り外し操作は、弾性支持部１４Ｃ、１４Ｃをその弾性に抗して押
し広げて係止部１４Ｃ１による係止を外した状態で、上記とは逆の操作によって、ドアホ
ン子機２を収納部８から取り外すことができる。
【００１８】
なお、左右一対の弾性支持部１４Ｃ、１４Ｃに加えて、またはこの左右一対の弾性支持
部１４Ｃ、１４Ｃに替えて、ドアホン子機２の上面に対向して、ドアホン子機２の背面に
係止する左右一対の弾性支持部とすることもできる。
【００１９】
弾性支持部１４Ｃ、１４Ｃを含むこれらの弾性支持部と、下側支持部１４Ａと、左右側
面支持部１４Ｂは、ハウジング３と一体成形で形成されている。下側支持部１４Ａと左右
側面支持部１４Ｂは、ドアホン子機２を支持するために必要な長さであるため若干の弾力
性を有し、それによって収納部８へのドアホン子機２の組み付けのし易さが達成される。
この支持部１４Ａ、１４Ｂ、１４Ｃで支持された状態において、ドアホン子機２は周囲壁
３Ｂより後方へ突出しない状態である。
【００２０】
左右一対の下側支持部１４Ａは、周囲壁３Ｂを含むハウジング３が合成樹脂の射出成形
によって成形されることに伴って同時に、周囲壁３Ｂの底辺を切り欠いた状態に成形され
るものであり、この成形によって、下側支持部１４Ａに対応して周囲壁３Ｂの底辺を切り
欠いた排水部２０が形成される。
【００２１】
前面板３Ａの前面上部には、カメラ用窓１０の上方に四角形状の表札１２の取り付け部
１３が形成され、この表札取り付け部１３の裏側の収納部８の上方位置には、ハウジング
３をその裏側に位置する取り付け部３０（建物等の平坦な縦壁や、建物等の壁に固定した
前面が平坦な取り付け板等）の縦方向の平面に対してネジ止めするために、ハウジング３
と一体成形にて前面板３Ａから裏側へ延びた上下複数の固定用突起１５Ａ、１５Ｂを備え
ている。図６に示すように、上側の固定用突起１５Ａは、その後端面１５Ａ１が周囲壁３
Ｂの後端面３Ｂ１と略同一（実質同一面）となる長さに形成され、下側の固定用突起１５
Ｂは、その後端面１５Ｂ１が周囲壁３Ｂの後端面３Ｂ１よりも若干前方（例えば、０．５
ｍｍ短く）に位置するように、上側の固定用突起１５Ａの長さよりも若干短い長さに形成
されている。
【００２２】
この寸法関係によって、図７に示すように、ハウジング３は、その裏側に位置する取り
付け部３０の縦方向の平面に対して、上側の固定用突起１５Ａがそこを貫通するネジ１７
によって締め付け固定された状態で、下側の固定用突起１５Ｂがネジ１８によって締め付
け固定される関係によって、合成樹脂製ハウジング３の弾力にて収納部８周辺の周囲壁３
Ｂが前記取り付け部３０に押し圧状態に取り付けられる。これによって、ドアホン子機２
が発音時の振動等によって振動し、これがハウジング３に伝動しても、合成樹脂製ハウジ
ング３が振動して騒音を発することがなく、また、合成樹脂製ハウジング３の振動によっ
て前記取り付け部３０との関係によって振動による騒音を発することもない。
【００２３】
上記において、図示のように、固定用突起１５Ａ、１５Ｂは、表札取り付け部１３の裏
側に上下位置に形成され、表札取り付け部１３と上下の固定用突起１５Ａ、１５Ｂを貫通
するネジ１７、１８にてハウジング３が前記取り付け部に取り付けられる。この取り付け
後に、表札１２を両面接着テープ等の接着手段によって表札取り付け部１３に取り付ける
ことによって、表札取り付け部１３と固定用突起１５Ａ、１５Ｂを貫通するネジの取り付
け穴部分が表札によって覆われるため、取り付けネジ１７、１８が前面に現れず外観的に
も優れたものとなる。
【００２４】
本発明では、ハウジング３とそれを取り付ける取り付け部３０との間から侵入する雨水
が、ドアホン子機２へ達することなく流れるように工夫した構成である。即ち、ドアホン
子機用収納部８に収納されたドアホン子機２を上方から覆うように、前面板３Ａから裏側
へ山形状に突出した水滴除け廂２１をハウジング３と一体成形にて備えている。この水滴
除け廂２１は、周囲壁３Ｂと実質同じ突出長さ（周囲壁３Ｂの後端面３Ｂ１と実質同一面
）に形成され、この水滴除け廂２１の左右端部は、周囲壁３Ｂの左右辺との間に水切り溝
２２を形成している。
【００２５】
これによって、ハウジング３とそれを取り付ける取り付け部３０との間からハウジング
３内へ侵入する雨水は、水滴除け廂２１によってドアホン子機２へ達することなく左右へ
流れ、水滴除け廂２１を左右へ流れた水は、水滴除け廂２１の左右端部と周囲壁３Ｂとの
間に形成した水切り溝２２から周囲壁３Ｂを伝って流下し、下部の排水部２０からハウジ
ング３外へ流出する。このように、水滴除け廂２１の上面を流れて左右端部に達した水が
、周囲壁３Ｂを伝って流下する間隔に水切り溝２２の幅が形成されるため、水の飛散もな
い良好な排水が達成できる。即ち、水滴除け廂２１の左右端部から周囲壁３Ｂの底辺へ直
接落下する場合には、この落下したときに水の飛散が生じ、これがドアホン子機２へ付着
する虞があるが、それがなくなる。
【産業上の利用可能性】
【００２６】
本発明のドアホン子機装置は、上記実施例に示した構成に限定されず、種々の形態のも
のに適用できるものであり、本発明の技術範囲において種々の形態を包含するものである
。
【図面の簡単な説明】
【００２７】
【図１】本発明に係るドアホン子機装置の正面斜視図である。（実施例１）
【図２】本発明に係るドアホン子機装置の背面斜視図である。（実施例１）
【図３】本発明に係るドアホン子機装置のハウジングとドアホン子機とを分解した正面斜視図である。（実施例１）
【図４】本発明に係るドアホン子機装置のハウジングとドアホン子機とを分解した背面斜視図である。（実施例１）
【図５】本発明に係るドアホン子機装置の背面図である。（実施例１）
【図６】本発明に係るドアホン子機装置の固定用突起部の寸法関係を示す中央縦断側面図である。（実施例１）
【図７】本発明に係るドアホン子機装置を取り付け部に取り付けた状態を示す中央部縦断側面図である。（実施例１）機とを分解した正面斜視図である。（実施例１）
【符号の説明】
【００２８】
１・・・・ドアホン子機装置
２・・・・ドアホン子機
３・・・・ハウジング
３Ｂ・・・周囲壁
３Ｂ１・・周囲壁の後端面
４・・・・発音要素
５・・・・カメラ
６・・・・合成樹脂製ケース
７・・・・押しボタン
８・・・・ドアホン子機の収納部
９・・・・音声通過用窓
１０・・・カメラ用窓
１１・・・押しボタン７の操作用窓
１２・・・表札
１３・・・表札取り付け部
１４Ａ・・左右一対の下側支持部
１４Ｂ・・左右側面支持部
１４Ｃ・・左右一対の弾性支持部
１５Ａ・・上側の固定用突起
１５Ｂ・・下側の固定用突起
１７・・・取り付け用ネジ
１８・・・取り付け用ネジ
２０・・・排水部
２１・・・水滴除け廂
２２・・・水切り溝
３０・・・取り付け部
【図１】
0004744484.tif 000002
【図２】
0004744484.tif 000003
【図３】
0004744484.tif 000004
【図４】
0004744484.tif 000005
【図５】
0004744484.tif 000006
【図６】
0004744484.tif 000007
【図７】
0004744484.tif 000008